(57)【要約】【課題】箱体の開封後の電子レンジによる加熱時に、内部の包装袋が十分膨張することのできる電子レンジ用包装体を提供することである。【解決手段】箱体１０と、箱体１０に収められた包装袋２０とを有する電子レンジ用包装体であって、箱体１０における開封部１５の非開封部との境界１６は、前面１１をわたって第２側面１３ｂ及び第３側面１３ｄのそれぞれに続き、当該第２側面１３ｂ及び第３側面１３ｄのそれぞれと裏面１２との接合部まで延び、第２側面１３ｂと裏面１２との接合部における境界１６の端部Ｐ１と、第３側面１３ｄと裏面１２との接合部における境界１６の端部Ｐ２とを結ぶように裏面１２に折り容易化線１８が形成され、第２側面１３ｂ及び第３側面１３ｄの少なくとも一方と裏面１２との接合部における境界１６の端部Ｐ１（Ｐ２）から裏面１２に延びるように切込み１８ａ（１８ｂ）が形成された構成となる。【選択図】図８
2011225266.tif 000002
【特許請求の範囲】
【請求項１】
相互に対向する前面及び裏面と該前面及び裏面の縁に連なる側面とを有し、前記前面に開放可能な開封部が設けられた箱体と、蒸気抜き部が形成され、該蒸気抜き部が前記開封部に対向するように前記箱体に収められた包装袋とを有する電子レンジ用包装体であって、
前記側面は、第１側面とそれを挟んで相互に対向する第２側面及び第３側面とを少なくとも有し、
前記開封部は、非開封部との境界から前記第１側面の側に開放するものであって、前記開封部の非開封部との境界は、前記前面をわたって前記第２側面及び前記第３側面のそれぞれに続き、当該第２側面及び第３側面のそれぞれと前記裏面との接合部まで延び、
前記第２側面と前記裏面との接合部における前記境界の端部と、前記第３側面と前記裏面との接合部における前記境界との端部とを結ぶように前記裏面に折り容易化線が形成され、
前記開封部が、前記折り容易化線を支点として前記裏面側へ折り返されて前記蒸気抜き部を露出させるとともに、前記箱体に収められた包装袋を斜めに支持し、その状態で電子レンジによって加熱される際に、膨張する前記包装袋による前記箱体の非開封部の変形を許容するように、前記第２側面及び前記第３側面の少なくとも一方と前記裏面との接合部における前記境界の端部から当該裏面に延びるように切込みが形成された電子レンジ用包装体。
【請求項２】
前記前面における前記開封部内の前記第１側面に対向する部位に当該開封部の非開封部との境界に沿うように形成された指掛け部を有する請求項１記載の電子レンジ用包装体。
【請求項３】
前記指掛け部は、前記境界の部分と折れ目線により囲まれるように形成され、前記指掛け部を前記折れ目線から前記箱体の内側に折り込むことにより当該指掛け部に指がかかるようにした請求項２記載の電子レンジ用包装体。
【請求項４】
前記折り容易化線は、複数の切込み線が連なる切込み線列にて形成された請求項１乃至３のいずれかに記載の電子レンジ用包装体。
【請求項５】
前記切込みは、前記折り容易化線に重なって形成される請求項４記載の電子レンジ用包装体。
【請求項６】
前記箱体の前記側面の高さが、内容物が充填された状態の前記包装袋の底部の加熱前の厚みの１．１倍〜１．５倍の範囲内とした請求項１乃至５いずれかに記載の電子レンジ用包装体。
【発明の詳細な説明】
【技術分野】
【０００１】
本発明は、蒸気抜き部が形成されて電子レンジでの加熱が可能となるパウチ等の包装袋が箱体に収められた構造となる電子レンジ用包装体に関する。
【背景技術】
【０００２】
従来、電子レンジでの加熱が可能となる逃圧口（蒸気抜き部）の設けられた食品用の包装袋（パウチ）が箱体に収められた構造となる電子レンジ加熱包装体が提案されている（特許文献１参照）。この電子レンジ加熱包装体においては、包装袋に加熱する際の内圧上昇を緩和するための逃圧口（蒸気抜き部）が形成され、その包装袋が、開放可能な切離開封部の形成された箱体に、その逃圧口を前記切離開封部に対向させて収められている。そして、箱体の切離開封部を開放して包装袋の逃圧口を露出させた状態にて、電子レンジにより包装袋内の食品内容物が加熱される。この加熱によって、箱体内の包装袋が膨張して内圧がある限界を超えると、逃圧口から蒸気が噴出し、包装袋内部の圧力が適切に維持されつつ包装袋内の食用内容物が加熱調理される。
【０００３】
また、電子レンジ加熱パウチの外包装に使用される扁平箱形の化粧箱において、箱の底面に折り線及び該折り線に接続するパウチ支持部切り取り線を形成した電子レンジ加熱パウチ用化粧箱であって、当該箱体を開封すると、化粧箱のパウチ支持部が切り取り線に沿って切り取られ、化粧箱の開封された部分の上面に突出するように形成される電子レンジ加熱パウチ用化粧箱が提案されている（特許文献２参照）。更に、包装箱に設けた正面板切断予定線と側面板切断予定線との破断と、背面折り曲げ線を支点として折り曲げることによって容易に開封可能で、当該折り曲げた開封部分を支持することでパウチを傾斜支持することが可能になるとともに、パウチ背面に当接するように折り出された制御突起が傾斜状態を支持する箱体の復元動作を抑制することが可能な電子レンジ用パウチ用包装箱が提案されている（特許文献３参照）。
【０００４】
このような電子レンジ用包装体によれば、箱体の切離開封部を開放するだけで、箱体から包装袋を取り出すことなく、電子レンジによって前記包装袋内の食品内容物を加熱することができるので、電子レンジによる加熱調理の準備を簡単かつ容易に行うことができる。更に、包装袋が箱体内に収まった状態で電子レンジよる加熱がなされるので、包装袋内の食品内容物を安定した状態で加熱することができる。
【先行技術文献】
【特許文献】
【０００５】
【特許文献１】特開２００１−３９４７６号公報
【特許文献２】特開２００３−１７０９３０号公報
【特許文献３】特開２００６−０４４６９６号公報
【発明の概要】
【発明が解決しようとする課題】
【０００６】
しかしながら、特許文献１記載の箱体の開封部を開放して包装袋の蒸気抜きの部分（逃圧口）を露出させ、その状態で電子レンジによって包装袋の内容物を加熱することのできる電子レンジ用包装体では、開放された開封部の範囲が小さく、電子レンジによる加熱時に内部の包装袋の十分な膨張が阻害されるおそれがある。また、特許文献２及び特許文献３記載の電子レンジ用パウチ用包装箱においても、当該包装箱の裏面の折り返し線で開封部を折り曲げることによって背面が補強されるため、包装箱（化粧箱）が変形し難くなって、電子レンジによる加熱時に内部のパウチの十分な膨張が阻害されるおそれがある。そして、包装袋（パウチ）の十分な膨張が阻害されると、所望の時間よりも早く蒸気抜き部から蒸気が噴出して加熱ムラが生じたり、蒸気抜き部以外の部分が破袋して内容物が漏れ出すなどの問題が生じ得る。
【０００７】
本発明は、このような事情に鑑みてなされたもので、箱体の開封後の電子レンジによる加熱時に、内部の包装袋が十分膨張することのできる電子レンジ用包装体を提供するものである。
【課題を解決するための手段】
【０００８】
本発明に係る電子レンジ用包装体は、相互に対向する前面及び裏面と該前面及び裏面の縁に連なる側面とを有し、前記前面に開放可能な開封部が設けられた箱体と、蒸気抜き部が形成され、該蒸気抜き部が前記開封部に対向するように前記箱体に収められた包装袋とを有する電子レンジ用包装体であって、前記側面は、第１側面とそれを挟んで相互に対向する第２側面及び第３側面とを少なくとも有し、前記開封部は、非開封部との境界から前記第１側面の側に開放するものであって、前記開封部の非開封部との境界は、前記前面をわたって前記第２側面及び前記第３側面のそれぞれに続き、当該第２側面及び第３側面のそれぞれと前記裏面との接合部まで延び、前記第２側面と前記裏面との接合部における前記境界の端部と、前記第３側面と前記裏面との接合部における前記境界との端部とを結ぶように前記裏面に折り容易化線が形成され、前記開封部が、前記折り容易化線を支点として前記裏面側へ折り返されて前記蒸気抜き部を露出させるとともに、前記箱体に収められた包装袋を斜めに支持した状態で電子レンジによって加熱される際に、膨張する前記包装袋による前記箱体の非開封部の変形を許容するように、前記第２側面及び前記第３側面の少なくとも一方と前記裏面との接合部における前記境界の端部から当該裏面に延びるように切込み形成された構成となる。
【０００９】
このような構成により、包装袋の収められた箱体の開封部を、前面をわたって第２側面及び第３側面に続き当該第２側面及び第３側面のそれぞれと裏面との接合部まで延びる当該開封部と非開封部との境界から前記第２側面及び第３側面に挟まれる第１側面の側に開放し、その開封部を裏面に形成された折り容易化線をヒンジのようにして箱体の裏面側に折返して包装袋の蒸気抜き部が露出するとともに、前記箱体に収められた包装袋が斜めに支持された状態で、当該包装体が電子レンジにて加熱され得る。電子レンジからの加熱作用を受ける包装袋は、内部で発生する水蒸気により膨張し、その内圧がある限度を超えると、水蒸気が水蒸気抜き部から噴出する。よって、包装袋内の内容物が適度な圧力にて加熱調理され得る。
【００１０】
箱体の前記第２側面及び前記第３側面の少なくとも一方と前記裏面との接合部における前記境界の端部から当該裏面に延びるように切込みが形成されているので、前述したような包装袋の膨張によって箱体の残り部分の前面が盛り上がるとともに裏面が前記折り返された前記開封部側に押し下げ変形が許容され、さらに、前記開封部が押えつけられるとともに、前記箱体が前記切込みから裂け得る。このように箱体が前記切込みから裂け得ることにより、箱体が包装袋の膨張を押えつけようとする力が緩和され得るとともに、膨張する前記包装袋によって前記箱体の非開封部が変形し易くなり得る。
【００１１】
前記切込みは、前記第１側面に平行に延びるように形成することができ、また、記第２側面及び前記第３側面の双方のそれぞれと前記裏面との接合部における前記境界の端部から当該裏面に延びるように形成することもできる。
【００１２】
本発明に係る電子レンジ用包装体において、前記前面における前記開封部内の前記第１側面に対向する部位に当該開封部の非開封部との境界に沿うように形成された指掛け部を有する構成とすることができる。
【００１３】
このような構成により、前面における開封部内の第１側面に対向する部位に形成された指掛け部に指をかけ、その指掛け部を前記第１側面に向けて引き上げることにより前記開封部を非開封部との境界から前記第１側面の側に開放することができるので、箱体を部分的に切り取って開封する場合のようにゴミが分散せず、また、タブを摘まんで開封する場合のように誤ってタブがちぎれることもなく、容易にかつ確実に開封部を開放することができるようになる。
【００１４】
また、本発明に係る電子レンジ用包装体において、前記指掛け部は、前記境界の部分と折れ目線により囲まれるように形成され、前記指掛け部を押して前記折れ目線から前記箱体の内側に折り込むことにより形成される孔に指がかかるように構成することができる。
【００１５】
このような構成により、指掛け部を押して折れ目線から箱体の内側に折り込むことにより形成される孔に指をかけて開封部を開放することができるので、その操作がし易く、折れ目線から折れ曲がった指掛け部により指のかかる孔が補強されるようになって力がかけやすく、更に、箱体を形成するボール紙等の切断端縁に指先が当たらないのでより安全に開封部の開放操作を行うことができる。
【００１６】
本発明に係る電子レンジ用包装体における前記折り容易化線は、開放される開封部をヒンジのように折り返すことを容易化する線であれば、特に限定されるものではなく、例えば、単なる折りくせ線であっても、複数の切込み線が連なる切込み線列であってもよい。折り容易化線が切込み線列にて形成される場合、包装袋の膨張による箱体の表面の盛り上がり及び裏面の押し下げ変形によって、切込み線列も切り裂かれ得るので、箱体が内部包装袋の膨張を押えつけようとする力が更に緩和され得るとともに、膨張する前記包装袋によって前記箱体の非開封部が更に変形し易くなる。
【００１７】
本発明に係る電子レンジ用包装体において、前記切込みは、前記折り容易化線に重なって形成される構成とすることができる。
【００１８】
このような構成により、包装袋が膨張した際に、箱体の表面の盛り上がり及び裏面の押し下げ変形によって切込みから折り容易化線に従って裂けやすくなるので、箱体が包装袋の膨張を押えつけようとする力を緩和させることができるとともに、膨張する前記包装袋によって前記箱体の非開封部が更に変形し易くなる。
【００１９】
本発明に係る電子レンジ用包装体において、前記箱体の前記側面の高さが、内容物が充填された前記包装袋の加熱前の厚みの１．１〜１．５倍の範囲内とした構成とすることができる。
【００２０】
このような構成により、内部の包装袋の厚みと略同等の厚さ（側面の高さ）の箱体を用いて電子レンジ用包装体を構成することができる。このように、内部の包装袋の厚みと略同等の厚さの箱体であっても、電子レンジの加熱によって包装袋が膨張する際に、箱体が切込みから裂けることにより、当該箱体が包装袋の膨張を押えつけようとする力が緩和され得ることから、包装袋は十分膨張することができる。
【発明の効果】
【００２１】
本発明に係る電子レンジ用包装体によれば、開放された開封部が箱体の残りの部分の裏側に折り返された状態で、電子レンジによって当該箱体の残りの部分から露出する包装袋が加熱される際に、その包装袋の膨張によって箱体の残り部分の表面が盛り上がるとともに裏面が前記折り返された前記開封部側に押し下げ変形し、それにつれて、前記開封部が押えつけられるとともに、前記箱体が前記切込みから裂けることにより、箱体が包装袋の膨張を押えつけようとする力が緩和されるとともに、膨張する前記包装袋による前記箱体の非開封部の変形が許容されるようになるので、箱体の開封後の電子レンジによる加熱時に、内部の包装袋が十分膨張することのできるようになる。
【図面の簡単な説明】
【００２２】
【図１】本発明の第１の実施の形態に係る電子レンジ用包装体の外観を示す斜視図である。
【図２】図１に示す電子レンジ用包装体に用いられる箱体の展開図である。
【図３】箱体に形成された開封部の詳細構造を示す部分拡大展開図である。
【図４】図１に示す電子レンジ用包装体の断面構造を示す断面図である。
【図５】図１に示す電子レンジ用包装体の箱体を開封した状態を示す斜視図である。
【図６】図１に示す電子レンジ用包装体の箱体を開封した状態を示す正面図である。
【図７】箱体内に収められるパウチの膨張した状態を示す斜視図である。
【図８】図５に示す状態の電子レンジ用包装体を電子レンジにて加熱した後の状態を示す斜視図である。
【図９】図５に示す状態の電子レンジ用包装体を電子レンジにて加熱した後の状態を示す正面図である。
【発明を実施するための形態】
【００２３】
以下、本発明の実施の形態について図面を用いて説明する。
【００２４】
本発明の実施の一形態に係る電子レンジ用箱入り包装袋における箱体は、図１及び図２に示すように構成される。なお、図１は、電子レンジ用包装体の外観を示す斜視図であり、図２は、図１に示す電子レンジ用包装体に用いられる箱体の展開図である。
【００２５】
図１において、この電子レンジ用包装体に用いられる箱体（化粧箱）１０は、紙製（例えば、コートボール紙３１０ｇ／ｃｍ2等）であって、相互に対向する矩形形状の前面１１及び裏面１２と、前面１１及び裏面１２の各縁に連なる上側面１３ａ、横側面１３ｂ、下側面１３ｃ及び横側面１３ｄの４つの側面とから形成されている。そして、図１には表れていないが、箱体１０内には、プラスチック製シートにて形成され、食品等の内容物が充填された所謂平袋タイプの電子レンジ用のパウチ２０（包装袋）が収められている（後述する図４乃至図７参照）。
【００２６】
箱体１０は、図２に示す展開紙から組み立てられる。この展開紙は、矩形形状（長方形状）の前面１１及び裏面１２、短冊形状の上側面１３ａ、一方の横側面１３ｂ、下側面１３ｃ、他方の横側面１３ｄ、糊代（糊付け面）１４ａａ、１４ｂ、１４ｃａ及び折り片１４ａｂ、１４ａｃ、１４ｃｂ、１４ｃｃからなっている。この展開紙を折り曲げ接着することで、図１に示すように、相互に対向する前面１１、裏面１２と、相互に対向する上側面１３ａ、下側面１３ｃ及び相互に対向する２つの横側面１３ｂ、１３ｄの４つの側面とによって扁平直方体形状となる箱体１０が形成される。具体的には、裏面１２から突出する糊代１４ｂを横側面１３ｄの裏側に接着することにより、前面１１の縁に連なる横側面１３ｄが裏面１２に接合される。そして、折り片１４ａｂ、１４ａｃ、１４ｃｂ、１４ｃｃを内側に折り込みつつ糊代１４ａａを上側面１３ａの裏側に接着するととともに、糊代１４ｃａを下側面１３ｃの裏側に接着することにより、前面１１及び裏面１２に上側面１３ａ、下側面１３ｃ及び横側面１３ｂ、１３ｄの４つの側面が接合して、箱体１０が形成される。
【００２７】
また、図１とともに図２及び図３を参照するに、箱体１０の前面１１から上側面１３ａ（第１側面）を挟む両横側面１３ｂ（第２側面）及び１３ｄ（第３側面）にかけて開放可能な開封部１５が形成されている。開封部１５の非開封部との境界１６には切込み線が連なった切込み線列が形成されており、この切込み線列の非切込み部分が連鎖的に切れることによって開封部１５が境界１６から上側面１３ａの方向に開放する。開封部１５の非開封部との境界１６は、前面１１において上側面１３ａの側に開口する略Ｖ字状となる第１部分１６１と、当該第１部分１６１の一方の端部に続いて前面１１から一方の横側面１３ｂに延びて当該横側面１３ｂと裏面１２との接合部に至る第２部分１６２と、第１部分１６１の他方の端部に続いて前面１１から他方の横側面１３ｄに延びて当該横側面１３ｄと裏面１２との接合部に至る第３部分１６３とからなっている。箱体１０の展開紙上において、境界１６の第１部分１６１と第２部分１６２とは直線的に続き、第１部分１６１と第３部分１６３とも直線的に続いている。また、横側面１３ｄに接着される糊代１４ｂには、横側面１３ｄに形成される境界１６の第３部分１６３に合致するように切込み線列Ｃ163が形成されている。
【００２８】
裏面１２には、上側面１３ａ及び下側面１３ｃと平行となるように、折りを容易にするための折り容易化線１８が形成されている。この折り容易化線１８は、例えば、複数の切込み線が連なる切込み線列となっており、開封部１５の非開封部との境界１６の第２部分１６２の端部Ｐ１と、第３部分１６３の端部に合致する糊代１４ｂに形成された切込み線Ｃ163の端部Ｐ２との間に形成されている。特に、折り容易化線１８の一方の端部は、開封部１５の非開封部との境界１６の横側面１３ｂ上の第２部分１６２の端部Ｐ１から裏面１２に続く切込み線１８ａ（切込み）となっており、折り容易化線１８の他方の端部は、開封部１５の非開封部との境界１６の横側面１３ｄ（糊代１４ｂ）上の第３部分１６３の端部Ｐ２から裏面１２に続く切込み線１８ｂ（切込み）となっている。
【００２９】
また、開封部１５の非開封部との境界１６の略Ｖ字状になる第１部分１６１の頂部の内側には指掛け部１７が形成されている。指掛け部１７は、第１側面１３ａに対向する境界１６の略Ｖ字状になる頂部の所定範囲部分とミシン目線１７ａ（折れ目線）とに囲まれて形成され、その指掛け部１７には切込み線１７ｂが形成されている。これにより、指掛け部１７を押してミシン目線１７ａから箱体１０（前面１１）の内側に折り込むことにより形成された孔に指がかかるようになる。
【００３０】
箱体１０に収められた平袋タイプのパウチ２０は、図４及び図５に示すように、縁部に蒸気抜き部２１ａ、２１ｂ、２１ｃが並んで形成されている。各蒸気抜き部２１ａ、２１ｂ、２１ｃは、例えば、特開２００２−２４９１７６号公報に記載されるように、孔（弱化部）の周りがシールされた構造となって、パウチ２０の内圧が限界を超えると、その蒸気抜き部２１ａ、２１ｂ、２１ｃ（孔）から蒸気が噴出するようになっている。なお、蒸気抜き部２１ａ、２１ｂ、２１ｃの構造としては、上述したものに限らず、パウチ２０の縁辺シール部の所定部位を、狭幅とする、内側に突出させる、易剥離性フィルムを挟んでシールするなどして、パウチ２０の内圧が上昇した際に前記所定部位のシールが優先的に剥離するようにしたもの、マイクロ波の照射で発熱する発熱体をフィルム材（シート）に貼り付け、該フィルム材が溶融、もしくはシール強度が低下して蒸気が抜けるようにしたものなど、公知のものを適用することができる。
【００３１】
パウチ２０は、蒸気抜き部２１ａ、２１ｂ、２１ｃが前面１１に形成された開封部１５に対向するように箱体１０に収められている。また、このパウチ２０は、開封部１５に対応した部位に内圧上昇によって裏面１２側に突出する折返し部２２が形成されている。この折返し部２２は、パウチ２０が膨張した際に突出するようになっており、その詳細な構造は、特開２００６−６２６７２号公報に記載されている。
【００３２】
箱体１０の各側面１３ａ〜１３ｄの高さは、食品等の内容物が充填されたパウチ２０の電子レンジによる加熱前の厚みの１．１倍〜１．５倍の範囲内に設定できる。このように、パウチ２０の厚みと略同等の厚さ（側面の高さ）の箱体１０を用いることができる。なお、パウチ２０の厚みは、平板上に載置したパウチ２０にその表面の全体を覆う大きさの平面をのせて均等にならした状態で測定された両平板間の距離とする。
【００３３】
このように箱体１０に収められたパウチ２０の内容物を電子レンジにて加熱する場合について説明する。
【００３４】
箱体１０の開封部１５の指掛け部１７を内方に押し込んで形成される孔に指を引っかけて引き上げることで、開封部１５の非開封部との境界１６である前面１１の第１部分１６１、一方の横側面１３ｂの第２部分１６２及び他方の横側面１３ｄの第３部分１６３のそれぞれに形成された切込み線列が順次切れて、開封部１５は、その非開封部との境界１６から上側面１３ａの方向に開放される。そして、開封部１５は、図５及び図６に示すように、裏面１１に形成された折り容易化線１８をヒンジのようにして箱体１０の残りの部分の裏面１２に接するまで折り返される。このように開封部１５が箱体１０の残りの部分の裏面１２に接するまで折り返されると、箱体１０からパウチ２０の蒸気抜き部分２１ａ、２１ｂ、２１ｃの形成された部分が露出する。
【００３５】
このようにして開封部１５が箱体１０の裏面１２側に折り返されているので、パウチ２０が収められている箱体１０の残りの部分（非開封部）は、パウチ２０の蒸気抜き部２１ａ、２１ｂ、２１ｃの形成された部分が高くなるように傾斜した状態になる。この状態のままで、電子レンジ用包装体（箱体１０、パウチ２０）が電子レンジ内セットされる。電子レンジによってパウチ２０内の食品内容物が加熱されると、加熱された食品内容物から発生する水蒸気によってパウチ２０が、図７に示すように、膨張し、箱体１０の裏面１２に当接した折返し部２２が拡張して突出する。パウチ２０の膨張及びその折返し部２２の突出によって、図８及び図９に示すように、箱体１０内でパウチ２０の蒸気抜き部２１ａ、２１ｂ、２１ｃの形成された部分がせり上がる。そして、パウチ２０の内圧がある限度を超えると、パウチ２０のせり上がった部分に形成された蒸気抜き部２１ａ、２１ｂ、２１ｃから水蒸気が噴出し、パウチ２０の食品内容物が適度な圧力によって加熱調理される。
【００３６】
このようなパウチ２０の膨張によって、図８及び図９に示すように、箱体１０のパウチ２０の収められた部分の前面１１が盛り上がるとともに裏面１２が折り返された開封部１５の側に押し下げ変形する。このような箱体１０の変形に対して、開封部１５の折返しの境界となる折り容易化線１８の両端部の切込み線１８ａ、１８ｂの存在により変形が容易になる。さらにパウチ２０の膨張が大きい場合には、この切込み線１８ａ、１８ｂから折り容易化線１８に沿って箱体１０の裏面１２の切り裂きが誘導され、箱体１０がパウチ２０の膨張を押えつけようとする力が緩和されるとともに、膨張するパウチ２０による箱体１８の非開封部が変形し易くなる。
【００３７】
このように、本発明の実施の形態に係る電子レンジ用包装体によれば、開封部１５が開放されて箱体１０から蒸気抜き部２１ａ、２１ｂ、２１ｃの部分が露出するパウチ２０内の食品内容物が電子レンジによって加熱される際に、開封部１５の折返しの境界となる折り容易化線１８の両端部の切込み線１８ａ、１８ｂにより、箱体１０がパウチ２０の膨張を押えつけようとする力が緩和されるとともに、さらに切り込み線１８ａ、１８ｂから折り容易化線１８に沿って箱体１０の裏面１２の切り裂きが誘導されることにより、膨張するパウチ２０により箱体１８の非開封部が変形し易くなるので、箱体１０の開封後の電子レンジによる加熱時に、内部のパウチ２０が十分膨張することができるようになる。その結果、パウチ２０内の食品内容物を有効に加圧された状態で加熱調理することができる。
【００３８】
箱体１０の各側面１３ａ〜１３ｄの高さが、食品等の内容物が充填されたパウチ２０の電子レンジによる加熱前の厚みの１．１倍〜１．５倍の範囲内に設定され、パウチ２０の厚みと略同等の厚さ（側面の高さ）の箱体１０が用いられていても、切込み線１８ａ、１８ｂから箱体１０の裏面１２が裂け得ることにより、電子レンジの加熱によってパウチ２０は十分膨張することができるようになる。
【００３９】
また、開封部１５が箱体１０の裏面１２側に折り返されているので、箱体１０によりパウチ２０に形成された蒸気抜き部２１ａ、２１ｂ、２１ｃを比較的高い位置に保持することができるので、加熱時に、パウチ２０の蒸気抜き部２１ａ、２１ｂ、２１cから蒸気が噴出する際に内容物まで吹きだしてしまうことを確実に防止することができる。また、噴出する蒸気が開封部１５に当たって湿ってしまうこともない。
【００４０】
更に、前述したように、加熱時に、開封部１５の折返しの境界となる折り容易化線１８の両端部の切込み線１８ａ、１８ｂから箱体１０の裏面１２の切り裂きが誘導されることにより、箱体１０がパウチ２０の膨張を押えつけようとする力が緩和されるとともに、膨張するパウチ２０により箱体１８の非開封部が変形し易くなるので、裏面１２側に折り返された開封部１５が押えつけられるようになり（図９参照）、折り返された開封部１５が戻って倒れてしまうのを確実に防止することができる。
【００４１】
また、箱体１０の前面１１に形成された指掛け部１７を押してミシン目線１７ａから箱体１０の内側に折り込むことにより形成される孔に指をかけて開封部１５を開放することができるので、箱体１０を部分的に切り取って開封する場合のようにゴミが分散せず、また、タブを摘まんで開封する場合のように誤ってタブがちぎれることもない。そして、その開封操作がし易く、ミシン目線１７ａから折れ曲がった指掛け部１７によって指のかかる孔が補強されるようになって力がかけやすく、更に、箱体１０を形成するボール紙の切断端縁に指先が当たらないのでより安全に開封部１５の開放操作を行うことができる。
【００４２】
本発明の実施の形態に係る電子レンジ用包装体では、開封部１５の非開封部との境界１６の横側面１３ｂ、１３ｄの第２部分１６２及び第３部分１６３のそれぞれかの端部Ｐ１、Ｐ２から裏面１２に形成される切れ込み線１８ａ、１８ｂは、折り容易化線１８の一部となっていたが、その始点（Ｐ１、Ｐ２）が共通であれば、切込み線１８ａ、１８ｂ（切込み）と折り容易化線１８とは合致していなくてもよい。例えば、それら切込み線１８ａ、１８ｂは、上側面１３ａに平行ではなく、傾斜していてもよい。また、その切込み線１８ａ、１８ｂは、いずれか一方であってもよい。
【００４３】
また、開封部１５の非開封部との境界１６に切込み線列を形成して開封部１５が境界１６から開放するようになっていたが、開口のある箱体に、開封部１５に相当する部分を貼り付けて全体としての箱体１０を形成するようにしてもよい（２００９−５１５６２号公報参照）。この場合、貼り付けられた部分をはがすことによって開封部が境界１６から上側面１３ａの方向に開放されるようになる。
【００４４】
更に、本発明の実施の形態に係る電子レンジ用包装体では、図５に示すように開封部１５を裏面１２と接するように折り返す状態にしたが、例えば、特許文献２記載の電子レンジ用加熱パウチ用化粧箱のように、箱体１０の上側面１３ａを接地させるように開封してもよい。このように箱体１０を開封した場合においても、パウチ２０の膨張によって、開封部１５の折返しの境界となる折り容易化線１８の両端部の切込み線１８ａ、１８ｂから箱体１０の裏面１２が裂け得るので、箱体１０がパウチ２０の膨張を押えつけようとする力が緩和され、パウチ２０は十分膨張することができる。
【００４５】
なお、箱体１０に収容されるパウチ２０は、図４に示すように、折り返し部２２を有するものであったが、この折り返し部２２の形成されていない、所謂通常の平型パウチを用いることもできる。
【産業上の利用可能性】
【００４６】
以上、説明したように、本発明に係る電子レンジ用包装体は、箱体の開封後の電子レンジによる加熱時に、内部の包装袋が十分膨張することのできるという効果を有し、蒸気抜き部が形成されて電子レンジでの加熱が可能となるパウチ等の包装袋が箱体に収められた構造となる電子レンジ用包装体として有用である。
【符号の説明】
【００４７】
１０  箱体
１１  前面
１２  裏面
１３ａ  上側面
１３ｂ  横側面
１３ｃ  下側面
１３ｄ  横側面
１５  開封部
１６  境界
１６１  第１部分
１６２  第２部分
１６３  第３部分
１７  指掛け部
１８  折り容易化線
１８ａ、１８ｂ  切込み線
１４ａａ、１４ｃａ、１４ｂ  貼代
１４ａｂ、１４ａｃ、１４ｃｂ、１４ｃｃ  折り片
２０  パウチ（包装袋）
２１ａ、２１ｂ、２１ｃ  蒸気抜き部
２２  折返し部
【図１】
2011225266.tif 000003
【図２】
2011225266.tif 000004
【図３】
2011225266.tif 000005
【図４】
2011225266.tif 000006
【図５】
2011225266.tif 000007
【図６】
2011225266.tif 000008
【図７】
2011225266.tif 000009
【図８】
2011225266.tif 000010
【図９】
2011225266.tif 000011